(57)【特許請求の範囲】
【請求項１】
光源の光量に係る設定値を受け付ける受付部と、
前記光源の光量に応じた電流を出力する光学センサと、
一又は複数の抵抗器を有し、前記光学センサが出力した電流を前記抵抗器の抵抗値に応じた電圧に変換して出力する変換抵抗部と、
該変換抵抗部が出力した電圧を平滑化して出力する平滑部と、
デューティ比が可変のパルス信号を前記変換抵抗部へ出力し、該変換抵抗部の抵抗値を制御する変換制御部と、
前記受付部が受け付けた光量に係る設定値及び前記平滑部の出力電圧値に応じて、前記光源の光量を制御する光源制御部と
を備え、
前記変換抵抗部は、前記変換制御部が出力するパルス信号に応じて２種類の抵抗値を切り替えるようにしてあり、
前記変換制御部は、所定設定値における前記平滑部の出力電圧値が所定目標電圧値となるように、前記変換抵抗部の抵抗値を制御するようにしてあること
を特徴とする照明装置。
【請求項２】
前記パルス信号のデューティ比を変化させて、前記平滑部の出力電圧値及び前記所定目標電圧値を比較し、前記出力電圧値が前記所定目標電圧値となる前記パルス信号のデューティ比を決定するデューティ比決定手段を更に備え、
前記変換制御部は、前記デューティ比決定手段が決定したデューティ比に応じて、前記パルス信号を前記変換抵抗部へ出力するようにしてあること
を特徴とする請求項１に記載の照明装置。
【請求項３】
前記変換制御部は、前記デューティ比決定手段が決定したデューティ比のパルス信号を前記変換抵抗部へ出力するようにしてあり、
前記受付部が受け付けた光量に係る設定値、前記所定設定値及び前記所定目標電圧値に基づいて、前記設定値に応じた目標電圧値を算出する目標電圧値算出手段を更に備え、
前記光源制御部は、前記平滑部の出力電圧値が、前記目標電圧値算出手段が算出した目標電圧値となるように、前記光源の光量を制御するようにしてあること
を特徴とする請求項２に記載の照明装置。
【請求項４】
前記受付部が受け付けた設定値に係る光量が所定光量より小さい場合に、
前記デューティ比決定手段が決定したデューティ比及び前記所定光量に基づいて、第２のデューティ比を算出するデューティ比算出手段を更に備え、
前記変換制御部は、前記デューティ比算出手段が算出した第２のデューティ比のパルス信号を前記変換抵抗部へ出力するようにしてあり、
前記目標電圧算出手段は、更に前記デューティ比決定手段が決定したデューティ比及び前記デューティ比算出手段が算出した第２のデューティ比に基づいて、前記設定値に応じた目標電圧値を算出するようにしてあること
を特徴とする請求項３に記載の照明装置。
【請求項５】
前記受付部が受け付けた光量に係る設定値及び前記デューティ比決定手段が決定したデューティ比に基づいて、前記平滑部の出力電圧値を前記所定目標電圧値とするデューティ比を算出するデューティ比算出手段を更に備え、
前記変換制御部は、前記デューティ比算出手段が算出したデューティ比のパルス信号を前記変換抵抗部へ出力するようにしてあり、
前記光源制御部は、前記平滑部が出力する電圧値が、前記所定目標電圧値となるように、前記光源の光量を制御するようにしてあること
を特徴とする請求項２に記載の照明装置。
【請求項６】
前記パルス信号のデューティ比を所定デューティ比とした場合の前記平滑部の出力電圧値を、前記所定目標電圧値として決定する所定目標電圧値決定手段と、
前記受付部が受け付けた光量に係る設定値及び前記所定デューティ比に基づいて、前記平滑部の出力電圧値を前記所定目標電圧決定手段が決定した所定目標電圧値とするデューティ比を算出するデューティ比算出手段と
を更に備え、
前記変換制御部は、前記デューティ比算出手段が算出したデューティ比のパルス信号を前記変換抵抗部へ出力するようにしてあり、
前記光源制御部は、前記平滑部の出力電圧値が、前記所定目標電圧値となるように、前記光源の光量を制御するようにしてあること
を特徴とする請求項１に記載の照明装置。
【請求項７】
前記変換抵抗部は、前記光学センサが出力する電流の経路中に直列接続された抵抗器及びスイッチング素子を有し、
前記変換制御部は、前記スイッチング素子の開閉を制御することにより、前記抵抗値を制御するようにしてあること
を特徴とする請求項１乃至請求項６のいずれか１つに記載の照明装置。
【請求項８】
液晶表示パネルと、
該液晶表示パネルの背面に光を照射する、請求項１乃至請求項７のいずれか１つに記載の照明装置と
を備えること
を特徴とする表示装置。
【発明の詳細な説明】
【技術分野】
【０００１】
本発明は、光学センサを用いて光量を制御する照明装置、及びこの照明装置を用いて液晶表示パネルによる表示を行う表示装置に関する。
【背景技術】
【０００２】
液晶表示パネルにより画像表示を行う表示装置は、液晶表示パネルの背面へ光を照射する照明装置を備えている。従来の表示装置においては、表示される画像の明るさ（ブライトネス、明度又は輝度等）の設定をユーザが好みに応じて変更することができる場合が多い。明るさの設定が変更された場合、表示装置では設定に応じて照明装置による光源の光量を制御する。光源の光量制御を高精度に行うため、光量を検知する光学センサを搭載した照明装置がある。
【０００３】
図１１は、従来の光量検知回路の構成を示す回路図である。図においてＳが光学センサであり、光学センサＳは検知した光量に応じた電流Ｉを出力する。光学センサＳには抵抗Ｒｄが直列に接続されており、光学センサＳが出力した電流Ｉにより抵抗Ｒｄに加わる電圧Ｖａ＝Ｒｄ×Ｉが増幅器Ａｍｐの非反転入力端子（＋）へ入力されている。図示の回路は非反転増幅回路であり、増幅器Ａｍｐの出力端子は抵抗Ｒｆを介して反転増幅端子（−）に接続されると共に、反転増幅端子には４つの抵抗Ｒｓ１〜Ｒｓ４が並列に接続され、各抵抗Ｒｓ１〜Ｒｓ４はスイッチＳＷ１〜ＳＷ４を介して接地電位に接続されている。各スイッチＳＷ１〜ＳＷ４の開閉を制御することによって、非反転増幅回路の増幅率を１６段階で切り替えることができる。この光量検知回路は、増幅器Ａｍｐの出力電圧Ｖｂを照明装置の制御回路などへ与え、これに応じて照明装置は光源の光量を制御する。
【０００４】
特許文献１には、入力信号の直流レベルに対し最適なバイアスレベルを調節でき、入力信号の利得を正確に制御することができる利得調節型増幅装置が提案されている。この利得調整型増幅装置は、入力端子の一方に入力信号が入力され、他方にバイアスレベル調節手段が接続された差動増幅手段と、この差動増幅手段の電流量などを調節する調節手段とを備え、ユーザの指定に応じたアナログ信号を調節手段へ提供する。
【先行技術文献】
【特許文献】
【０００５】
【特許文献１】特開平０６−２０４７６６号公報
【発明の概要】
【発明が解決しようとする課題】
【０００６】
光量検知に用いる光学センサＳには個体差があり、光源の光量が同じであっても光学センサＳが出力する電流値が異なる場合がある。図１１に示した従来の光量検知回路は、スイッチＳＷ１〜ＳＷ４にて増幅率を切替可能とすることにより、光学センサＳの個体差を吸収すべく構成されたものである。なお光学センサＳの個体差以外にも、例えば回路を構成するその他の回路素子の個体差など、光量検知回路の出力電圧Ｖｂにバラツキが生じる要因には種々のものがある。
【０００７】
しかしながらこの光量検知回路では、例えば光学センサＳが出力する電流値が小さい場合、増幅回路の増幅率を上げることになるが、これによりＳ／Ｎ比が悪化するという問題があった。特許文献１に記載の利得調節型増幅装置も同様の問題を有している。また図１１の光量検知回路にあっては、４つのスイッチＳＷ１〜ＳＷ４の開閉を個別に制御するために、制御回路などから４つの制御信号線を接続する必要があるという問題があった。
【０００８】
本発明は、斯かる事情に鑑みてなされたものであって、その目的とするところは、Ｓ／Ｎ比の悪化などの問題を生じることなく、光学センサの個体差などの要因によって光量検知結果にバラツキが生じることのない照明装置及び表示装置を提供することにある。
【課題を解決するための手段】
【０００９】
本発明に係る照明装置は、光源の光量に係る設定値を受け付ける受付部と、前記光源の光量に応じた電流を出力する光学センサと、一又は複数の抵抗器を有し、前記光学センサが出力した電流を前記抵抗器の抵抗値に応じた電圧に変換して出力する変換抵抗部と、該変換抵抗部が出力した電圧を平滑化して出力する平滑部と、デューティ比が可変のパルス信号を前記変換抵抗部へ出力し、該変換抵抗部の抵抗値を制御する変換制御部と、前記受付部が受け付けた光量に係る設定値及び前記平滑部の出力電圧値に応じて、前記光源の光量を制御する光源制御部とを備え、前記変換抵抗部は、前記変換制御部が出力するパルス信号に応じて２種類の抵抗値を切り替えるようにしてあり、前記変換制御部は、所定設定値における前記平滑部の出力電圧値が所定目標電圧値となるように、前記変換抵抗部の抵抗値を制御するようにしてあることを特徴とする。
【００１０】
また、本発明に係る照明装置は、前記パルス信号のデューティ比を変化させて、前記平滑部の出力電圧値及び前記所定目標電圧値を比較し、前記出力電圧値が前記所定目標電圧値となる前記パルス信号のデューティ比を決定するデューティ比決定手段を更に備え、前記変換制御部は、前記デューティ比決定手段が決定したデューティ比に応じて、前記パルス信号を前記変換抵抗部へ出力するようにしてあることを特徴とする。
【００１１】
また、本発明に係る照明装置は、前記変換制御部が、前記デューティ比決定手段が決定したデューティ比のパルス信号を前記変換抵抗部へ出力するようにしてあり、前記受付部が受け付けた光量に係る設定値、前記所定設定値及び前記所定目標電圧値に基づいて、前記設定値に応じた目標電圧値を算出する目標電圧値算出手段を更に備え、前記光源制御部は、前記平滑部の出力電圧値が、前記目標電圧値算出手段が算出した目標電圧値となるように、前記光源の光量を制御するようにしてあることを特徴とする。
【００１２】
また、本発明に係る照明装置は、前記受付部が受け付けた設定値に係る光量が所定光量より小さい場合に、前記デューティ比決定手段が決定したデューティ比及び前記所定光量に基づいて、第２のデューティ比を算出するデューティ比算出手段を更に備え、前記変換制御部は、前記デューティ比算出手段が算出した第２のデューティ比のパルス信号を前記変換抵抗部へ出力するようにしてあり、前記目標電圧算出手段は、更に前記デューティ比決定手段が決定したデューティ比及び前記デューティ比算出手段が算出した第２のデューティ比に基づいて、前記設定値に応じた目標電圧値を算出するようにしてあることを特徴とする。
【００１３】
また、本発明に係る照明装置は、前記受付部が受け付けた光量に係る設定値及び前記デューティ比決定手段が決定したデューティ比に基づいて、前記平滑部の出力電圧値を前記所定目標電圧値とするデューティ比を算出するデューティ比算出手段を更に備え、前記変換制御部は、前記デューティ比算出手段が算出したデューティ比のパルス信号を前記変換抵抗部へ出力するようにしてあり、前記光源制御部は、前記平滑部が出力する電圧値が、前記所定目標電圧値となるように、前記光源の光量を制御するようにしてあることを特徴とする。
【００１４】
また、本発明に係る照明装置は、前記パルス信号のデューティ比を所定デューティ比とした場合の前記平滑部の出力電圧値を、前記所定目標電圧値として決定する所定目標電圧値決定手段と、前記受付部が受け付けた光量に係る設定値及び前記所定デューティ比に基づいて、前記平滑部の出力電圧値を前記所定目標電圧決定手段が決定した所定目標電圧値とするデューティ比を算出するデューティ比算出手段とを更に備え、前記変換制御部は、前記デューティ比算出手段が算出したデューティ比のパルス信号を前記変換抵抗部へ出力するようにしてあり、前記光源制御部は、前記平滑部の出力電圧値が、前記所定目標電圧値となるように、前記光源の光量を制御するようにしてあることを特徴とする。
【００１５】
また、本発明に係る照明装置は、前記変換抵抗部が、前記光学センサが出力する電流の経路中に直列接続された抵抗器及びスイッチング素子を有し、前記変換制御部は、前記スイッチング素子の開閉を制御することにより、前記抵抗値を制御するようにしてあることを特徴とする。
【００１６】
また、本発明に係る表示装置は、液晶表示パネルと、該液晶表示パネルの背面に光を照射する、請求項１乃至請求項７のいずれか１つに記載の照明装置とを備えることを特徴とする。
【００１７】
本発明においては、一又は複数の抵抗器を有して構成された変換抵抗部が、光学センサが出力した電流を電圧に変換して出力し、この出力電圧を平滑部が平滑化する。また光源制御部は光量に係る設定値を受け付け、受け付けた設定値と平滑部の出力電圧値とに応じて光源の光量を制御する。変換抵抗部は入力されたパルス信号に応じて２種類の抵抗値を切り替える構成とし、デューティ比が可変のパルス信号を変換制御部が変換抵抗部へ出力して抵抗値の制御を行う。変換制御部からのパルス信号により変換抵抗部の抵抗値が切り替えられた場合、変換抵抗部の出力電圧はパルス状に切り替わるが、このパルス状の電圧は平滑部によって平滑化されて出力される。
変換制御部は、光量に係る所定設定値における平滑部の出力電圧値が所定目標電圧値となるように、変換制御部の抵抗値を制御する。これにより、光学センサの個体差などの要因に応じて、変換抵抗部による電流から電圧への変換効率を調整することができ、平滑部の出力電圧のバラツキを低減することができる。
また変換制御部は、いわゆるＰＷＭ（Pulse Width Modulation）方式の制御を行う。これにより、変換制御部は１つのパルス信号で変換抵抗部の抵抗値を制御できるため、変換制御部から変換抵抗部への制御信号線を低減できる。
【００１８】
また、本発明においては、例えば照明装置の初期設定又はキャリブレーション等を行う際に、パルス信号のデューティ比を変化させて平滑部の出力電圧値を取得し、この出力電圧値と所定目標電圧値とを比較して、出力電圧値が所定目標電圧値となるデューティ比をデューティ比決定手段が決定する。変換制御部は、決定したデューティ比に応じて変換抵抗部の抵抗値の制御を行うが、これには以下のいくつかの方法がある。
【００１９】
変換制御部は、デューティ比決定手段が決定したデューティ比のパルス信号を変換抵抗部へ出力する。この場合、受け付けた光量に係る設定値、所定設定値及び所定目標電圧値に基づいて、受け付けた設定値に応じた目標電圧値を算出する。光源制御部は、平滑部の出力電圧値が目標電圧値となるように、光源の光量を制御する。これにより光学センサの個体差を吸収して光源の光量を制御することが可能となる。
【００２０】
また更に、受け付けた設定値に係る光量が所定光量より小さい場合には、デューティ比を変化させてもよい。この場合、デューティ比決定手段が決定したデューティ比及び所定光量に応じた第２のデューティ比を算出し、変換制御部は第２のデューティ比のパルス信号を変換抵抗部へ出力する。また目標電圧値の算出は、先のデューティ比及び第２のデューティ比（即ちデューティ比の変化）を更に加味して行う。光源制御部は、平滑部の出力電圧値が目標電圧値となるように、光源の光量を制御する。これにより、設定値に係る光量が小さい場合の光量検知の分解能を増加させることが可能となり、光量が小さい場合における光源の光量制御の精度を向上することができる。
【００２１】
又は、光源制御部が平滑部の出力電圧値の目標とする電圧値を固定し、デューティ比を変化させてもよい。この場合、受け付けた光量に係る設定値に応じて、デューティ比決定手段が決定したデューティ比を変化させる。光源制御部は、平滑部の出力電圧値が所定目標電圧値となるように、光源の光量を制御する。これにより、光量に係る設定値の全範囲において光量検知の分解能を高めることができ、光源の光量制御の精度を向上することができる。
【００２２】
また、本発明においては、例えば照明装置の初期設定又はキャリブレーション等を行う際に、パルス信号のデューティ比を所定デューティ比とした場合の平滑部の出力電圧値を所定目標電圧値と決定する。変換制御部は、平滑部の出力電圧値が所定目標電圧値となるように、光量に係る設定値に応じてパルス信号のデューティ比を制御する。これにより、初期設定又はキャリブレーション等に要する時間を短縮することができる。
【００２３】
また、本発明においては、変換抵抗部を光学センサの出力電流経路中に抵抗器及びスイッチング素子を直列接続した構成とする。スイッチング素子の開閉を制御することによって、変換抵抗部の抵抗値を２種類の抵抗値に切り替えることができる。例えば変換抵抗部の抵抗値は、電流経路中の抵抗の抵抗値と、無限大の抵抗値とに切り替えることができる。また例えば直列接続された抵抗器及びスイッチング素子に対して第２の抵抗器を並列接続することにより、変換抵抗部の抵抗値は、第２の抵抗器の抵抗値と、２種類の抵抗器の合成抵抗値とに切り替えることができる。
変換抵抗部の抵抗値を切り替えることによって、光学センサの出力電流に対する変換抵抗部の出力電圧はパルス状に変化するが、この出力電圧は平滑部によって平滑化されて略一定の電圧となる。平滑部の出力電圧値は、変換抵抗部へ入力されるパルス信号のデューティ比に応じて定まる。よって変換制御部は、パルス信号のデューティ比を制御することにより、光学センサが出力する電流から電圧への変換効率を制御することができる。
【００２４】
また、本発明においては、上述のような照明装置を表示装置に搭載し、照明装置が液晶パネルの背面へ光を照射する構成とする。これにより表示装置は、ユーザの設定などに応じて表示画面の明るさなどを適切に調整することができる。
【発明の効果】
【００２５】
本発明による場合は、光量に係る所定設定値における平滑部の出力電圧値が所定目標電圧値となるように変換抵抗部の抵抗値を制御し、光学センサの検知光量に応じた平滑部の出力電圧値に基づいて光源の光量を制御することにより、光学センサの個体差などの要因に応じて変換抵抗部の抵抗値を調整することができ、光量検知結果のバラツキを低減することができる。また増幅器の増幅率を調整する構成ではないため、Ｓ／Ｎ比の悪化などの問題を生じることはない。よって照明装置は光量制御を精度よく行うことができ、表示装置は画面表示の明るさなどを精度よく調整することができる。
【図面の簡単な説明】
【００２６】
【図１】本実施の形態に係る液晶表示装置の構成を示すブロック図である。
【図２】電流電圧変換部の構成を示す回路図である。
【図３】電流電圧変換部の変換効率決定処理の手順を示すフローチャートである。
【図４】光源の明るさ設定変更処理の手順を示すフローチャートである。
【図５】実施の形態１及び２に係る液晶表示装置の光源の制御方法を比較するための模式図である。
【図６】実施の形態２に係る液晶表示装置の光源の明るさ設定変更処理の手順を示すフローチャートである。
【図７】実施の形態３に係る液晶表示装置の光源の制御方法を説明するための模式図である。
【図８】実施の形態３に係る液晶表示装置の光源の明るさ設定変更処理の手順を示すフローチャートである。
【図９】変形例に係る液晶表示装置の光源の制御方法を説明するための模式図である。
【図１０】実施の形態４に係る液晶表示装置が行う目標電圧値決定処理の手順を示すフローチャートである。
【図１１】従来の光量検知回路の構成を示す回路図である。
【発明を実施するための形態】
【００２７】
（実施の形態１）
以下、本発明をその実施の形態を示す図面に基づき具体的に説明する。図１は、本実施の形態に係る液晶表示装置の構成を示すブロック図である。図において１は、液晶表示パネルである。液晶表示パネル１はマトリクス状に配置された液晶の画素を有し、液晶表示装置は、光源２から液晶表示パネル１の背面へ照射される光の透過率を画素毎に制御することにより、モノクローム又はカラーの画像表示を行うものである。
【００２８】
液晶表示装置は、例えばＰＣ（Personal Computer）又は映像再生装置等の外部装置からの画像信号が画像入力部１６に入力される。画像入力部１６に入力された画像信号は画像処理部１７へ与えられ、画像処理部１７は、入力された画像信号に対して、主制御部１０の制御に応じた種々の画像処理を施す。画像処理が施された画像信号は画像処理部１７から液晶駆動部１８へ与えられ、液晶駆動部１８は、与えられた画像信号に応じて、液晶表示パネル１の各画素を駆動する駆動信号を生成して出力する。
【００２９】
液晶表示装置は、表示に係る各種の設定操作を受け付けるための設定受付部１５を備えている。設定受付部１５は、例えば液晶表示装置の筐体の前面下部などに設けられた一又は複数のスイッチを有し、これらのスイッチによりユーザなどの設定操作を受け付ける。設定受付部１５は、例えば明るさ（ブライトネス、明度又は輝度）、コントラスト、色温度及び／又はカラーバランス等の設定について、設定値の変更に係る操作を受け付け、受け付けた設定値を主制御部１０へ通知する。
【００３０】
主制御部１０は、ＣＰＵ（Central Processing Unit）又はＭＰＵ（Micro Processing Unit）等の演算処理装置を用いて構成され、液晶表示装置内の各部の動作の制御及び画像表示に係る各種の演算処理等を行う。主制御部１０は、設定受付部１５にて受け付けた設定値を記憶し、この設定値に応じて光源制御部１１、変換制御部１４、画像処理部１７及び液晶駆動部１８等の動作を制御すべく、制御信号を出力する。
【００３１】
また液晶表示装置は、光源２の制御に関して、光源制御部１１、光源駆動部１２、電流電圧変換部１３、変換制御部１４及び光学センサＳ等を備えている。光学センサＳは、液晶表示装置内において液晶表示パネル１の近傍又は光源２の近傍に配され、光源２が発する光の光量を検知するセンサである。光学センサＳは検知した光量に応じた電流を出力し、この出力電流を電流電圧変換部１３が電圧に変換して光源制御部１１へ出力する。光源制御部１１は、電流電圧変換部１３の出力電圧と、主制御部１０からの制御信号とに応じて、光源２の発光量を決定し、決定した発光量で光源２を発光させるべく光源駆動部１２へ制御信号を出力する。光源駆動部１２は、光源制御部１１からの制御信号に応じた駆動電圧又は駆動電流を生成して光源２へ出力し、光源２を発光させる。
【００３２】
例えば主制御部１０は、設定受付部１５にて受け付けた明るさの設定値に応じた明るさとなるように、光源制御部１１へ制御信号を出力してその動作を制御する。光源制御部１１は、主制御部１０からの制御信号により、設定値に応じた明るさとなるように光源２の光量を制御する。このときに光源制御部１１は、光学センサＳによる光量の検知結果をフィードバック情報として取得しており、光量の検知結果に応じて光源２の光量を増減し、設定された明るさにより近付けるべく光源２の光量を制御する。また液晶表示装置の初期設定又はキャリブレーション等の際に、光源制御部１１は、必要に応じて光学センサＳの検知結果を主制御部１０へ与える。
【００３３】
また本実施の形態に係る液晶表示装置は、光学センサＳが検知する光量の精度を向上させるため、電流電圧変換部１３の変換効率を変換制御部１４が制御している。変換制御部１４は、主制御部１０からの制御信号に応じて、電流電圧変換部１３の変換効率を制御するためのＰＷＭ（Pulse Width Modulation）信号を生成し、電流電圧変換部１３へ出力する。
【００３４】
図２は、電流電圧変換部１３の構成を示す回路図である。上述のように光学センサＳは、検知した光量に応じた電流Ｉを出力するセンサであり、例えばフォトダイオードなどを用いて構成される（図２においては光学センサＳをフォトダイオードとして図示してある）。光学センサＳの出力電流Ｉは、抵抗Ｒｄ、Ｒｐ及びトランジスタＴを用いて構成された変換抵抗部１３１へ入力される。変換抵抗部１３１は、光学センサＳの出力電流Ｉを、抵抗Ｒｄ及びＲｐの抵抗値に応じた電圧に変換して出力する。変換抵抗部１３１が出力した電圧は、コンデンサＣにより平滑化されて、略一定の電圧値Ｖａとして出力される。なお本実施の形態においては、変換抵抗部１３１が出力した電圧をコンデンサＣにて平滑化する構成とするが、電圧の平滑化はコンデンサＣを用いる方法に限らない。例えば、変換抵抗部１３１の出力電圧をサンプリングすることで電圧値をデジタル値として取得し、サンプリングした複数の電圧値の平均値を算出するなどのデジタル処理を行い、デジタル処理にて得られた電圧値の信号を出力することによって平滑化を行う構成としてもよい。
【００３５】
詳しくは、光学センサＳのアノード端子には、変換抵抗部１３１の抵抗Ｒｄ及びトランジスタＴが直列接続され、この抵抗Ｒｄ及びトランジスタＴに対して抵抗Ｒｐ及びコンデンサＣがそれぞれ並列接続された構成である。光学センサＳのアノード端子の電圧値が変換されて平滑化された電圧値Ｖａとして出力される。
【００３６】
トランジスタＴが開状態（抵抗Ｒｄから接地電位への電流経路が非導通の状態）の場合、光学センサＳの出力電流Ｉは抵抗Ｒｐを通って接地電位へ流れるため、変換抵抗部１３１の出力電圧値はＲｐ×Ｉとなる。トランジスタＴが閉状態（抵抗Ｒｄから接地電位への電流経路が導通した状態）の場合、光学センサＳの出力電流Ｉは抵抗Ｒｄ及びＲｐへ流れるため、抵抗Ｒｄ及びＲｐの合成抵抗をＲｄｐとすると、変換抵抗部１３１の出力電圧値はＲｄｐ×Ｉ（＜Ｒｐ×Ｉ）となる。
【００３７】
トランジスタＴの開閉は、変換制御部１４が出力するＰＷＭ信号により制御されている。このＰＷＭ信号は、ハイレベル及びローレベルが所定のデューティ比となるように繰り返されたパルス信号であり、ＰＷＭ信号がハイレベルの場合にトランジスタＴが閉状態となり、ＰＷＭ信号がローレベルの場合にトランジスタＴが開状態となる。ＰＷＭ信号によってトランジスタＴの開閉が繰り返されることにより、変換抵抗部１３１の出力電圧は増減を繰り返すこととなるが、コンデンサＣにより平滑化されて略一定の電圧値Ｖａとなる。平滑化された電圧値Ｖａは、光学センサＳの出力電流Ｉと、ＰＷＭ信号のデューティ比とにより定まる。即ち図示の回路は、ＰＷＭ信号のデューティ比を制御することで変換抵抗部１３１の合成抵抗Ｒｐｄを疑似的に調整し、電流Ｉから電圧Ｖａへの変換効率を制御することを可能とした回路である。
【００３８】
出力された電圧Ｖａは、増幅器Ａｍｐ、抵抗Ｒｆ及びＲｓを用いた増幅回路へ入力される。この増幅回路は、増幅器Ａｍｐの非反転入力端子（＋）に電圧Ｖａが入力され、増幅器Ａｍｐの出力端子が抵抗Ｒｆを介して反転増幅端子（−）に入力され、反転増幅端子が抵抗Ｒｓを介して接地電位に接続された構成である。これにより増幅回路の出力電圧Ｖｂは、（Ｒｆ＋Ｒｓ）／Ｒｓ×Ｖａとなる。この出力電圧Ｖｂが光源制御部１１へ与えられる。
【００３９】
変換制御部１４が出力するＰＷＭ信号のデューティ比は、例えば液晶表示装置の製造工程又は液晶表示装置を購入したユーザが初期設定を行う際等に決定される。このとき主制御部１０は、光源制御部１１へ制御信号を出力して光源２を所定光量（例えば最大光量など）となるように発光させる。また主制御部１０は、所定のデューティ比（例えば５０％など）を変換制御部１４へ通知してＰＷＭ信号を出力させ、光学センサＳによる光量の検知結果である電流電圧変換部１３の出力電圧Ｖｂを光源制御部１１から取得する。主制御部１０は、取得した出力電圧Ｖｂが所定目標電圧値となるようにデューティ比を増減し、出力電圧Ｖｂが所定目標電圧値となった場合のデューティ比を記憶して以後の制御に用いる。なお所定目標電圧値は、液晶表示装置の設計段階などにおいて、光源２及び光学センサＳ等の特性などに応じて定められる。
【００４０】
図３は、電流電圧変換部１３の変換効率決定処理の手順を示すフローチャートである。液晶表示装置の主制御部１０は、光源制御部１１へ制御信号を出力することにより、例えば最大光量などの所定光量に対応した所定駆動量で光源２を発光させる（ステップＳ１）。また主制御部１０は、例えば予め定められた５０％などの初期デューティ比を変換制御部１４に設定し（ステップＳ２）、この初期デューティ比に応じた変換効率を電流電圧変換部１３に設定する。
【００４１】
次いで主制御部１０は、光学センサＳの検知した光量に応じた電流電圧変換部１３の出力電圧Ｖｂの値を光源制御部１１から取得し（ステップＳ３）、取得した出力電圧Ｖｂが所定目標電圧値であるか否かを判定する（ステップＳ４）。なおこのとき主制御部１０は、出力電圧Ｖｂが所定目標電圧値に完全に一致するのではなく、出力電圧Ｖｂが所定目標電圧値±α（αは例えば５％など）の範囲内であれば、出力電圧Ｖｂが目標電圧値であると判定する構成であってよい。
【００４２】
出力電圧Ｖｂが所定目標電圧値でないと判定した場合（Ｓ４：ＮＯ）、主制御部１０は、変換制御部１４が出力するＰＷＭ信号のデューティ比の設定を変更して（ステップＳ５）、ステップＳ３へ処理を戻し、出力電圧Ｖｂの取得及び判定を繰り返し行う。出力電圧Ｖｂが所定目標電圧値であると判定した場合（Ｓ４：ＹＥＳ）、主制御部１０は、このときのデューティ比を不揮発性のメモリなどに記憶し（ステップＳ６）、処理を終了する。
【００４３】
本実施の形態に係る液晶表示装置は、外部装置からの入力画像を液晶表示パネル１に表示する通常の動作時においては、上記の処理にて記憶したデューティ比を固定的に用いて（即ち電流電圧変換部１３の変換効率を固定して）光学センサＳにより光量の検知を行い、光源制御部１１による光源２の制御を行う。またユーザによる設定受付部１５への操作にて明るさの設定に係る設定値（以下、単に明るさ設定という）の変更を受け付けた場合、液晶表示装置は、主制御部１０から光源制御部１１へ設定値の変更が通知され、光源制御部１１が設定値に応じて光源２の光量を変更する。
【００４４】
図４は、光源２の明るさ設定変更処理の手順を示すフローチャートである。液晶表示装置の光源制御部１１は、主制御部１０から明るさ設定を取得し（ステップＳ１１）、この明るさ設定に対応した光源２の駆動量を算出する（ステップＳ１２）。なお明るさ設定に対応する光源２の駆動量の算出は、予め定められた演算式を用いて行う。ただし、明るさ設定と駆動量とを対応付けたテーブルなどを記憶しておき、このテーブルから駆動量を取得する構成としてもよい。またステップＳ１２にて算出する駆動量は、以降の処理で更新される駆動量の初期値として与えられるものであり、算出を行わずに、明るさ設定に無関係の固定値を駆動量の初期値として用いてもよく、以前の明るさ設定での駆動量を初期値として用いてもよい。
【００４５】
次いで光源制御部１１は、明るさ設定に対応した電流電圧変換部１３の出力電圧Ｖｂの目標電圧値を算出する（ステップＳ１３）。なお明るさ設定に対応した目標電圧値の算出は、予め定められた演算式を用いて行う。この演算式は、図３に示したデューティ比を決定する処理において光源２を発光させた所定駆動量に対応する明るさ設定、及び、ステップＳ４にて判定に用いた所定目標検出値に基づいて決定することができ、演算式に新たな明るさ設定（又は明るさ設定に応じた光源２の駆動量）を代入することで目標電圧値を算出することができる。ただし、明るさ設定と目標電圧値とを対応付けたテーブルなどを記憶しておき、このテーブルから目標電圧値を取得する構成としてもよい。
【００４６】
ＰＷＭ信号のデューティ比決定処理にて、例えば明るさ設定１００％（所定駆動量＝１００％）にて所定目標電圧値がＶ１となるデューティ比を６０％と決定したとする。その後、ＰＷＭ信号のデューティ比は６０％固定で光源２の制御処理は行われる。ここで明るさ設定が７０％とされた場合、電流電圧変換部１３の出力電圧Ｖｂに対する目標電圧値はＶ１×７０／１００となる。即ち、目標電圧値の算出は、明るさ設定をＸ％とした場合、演算式Ｙ＝Ｖ１／１００×Ｘを用いてＹの値を算出することで実現できる。
【００４７】
光源制御部１１は、ステップＳ１２にて算出した駆動量での駆動を行って光源２を発光させる（ステップＳ１４）。次いで光源制御部１１は、光学センサＳの検出値に対応した電流電圧変換部１３の出力電圧Ｖｂを取得し（ステップＳ１５）、取得した出力電圧ＶｂがステップＳ１３にて算出した目標電圧値であるか否かを判定する（ステップＳ１６）。なおこのとき光源制御部１１は、出力電圧Ｖｂが目標電圧値に完全に一致するのではなく、出力電圧Ｖｂが目標電圧値±α（αは例えば５％など）の範囲内であれば、出力電圧Ｖｂが目標電圧値であると判定する構成であってよい。
【００４８】
出力電圧Ｖｂが目標電圧値でないと判定した場合（Ｓ１６：ＮＯ）、光源制御部１１は、出力電圧値Ｖｂを目標電圧値へ近付けるべく、光源２の駆動量を再び算出し（ステップＳ１７）、ステップＳ１４へ処理を戻して、上述の処理を繰り返し行う。出力電圧Ｖｂが目標電圧値であると判定した場合（Ｓ１６：ＹＥＳ）、光源制御部１１は、処理を終了する。
【００４９】
以上の構成の実施の形態１に係る液晶表示装置は、光学センサＳが出力した電流Ｉを電流電圧変換部１３が電圧Ｖｂに変換して出力し、設定受付部１５にて受け付けた明るさ設定と電流電圧変換部１３が出力した電圧Ｖｂとに応じて光源制御部１１が光源２の光量を制御する。また液晶表示装置は、電流電圧変化部１３による電流Ｉから電圧Ｖｂへの変換効率を、所定駆動量で光源２を発光した際の電流電圧変換部１３の出力電圧Ｖｂが所定の目標電圧値となるように、変換制御部１４が制御する。これにより、光学センサＳの個体差などの要因に応じて電流電圧変換部１３の出力電圧Ｖｂにバラツキが生じることを防止でき、精度のよい光源２の光量制御を行うことができる。
【００５０】
また、変換制御部１４がＰＷＭ信号を電流電圧変換部１３へ出力し、電流電圧変換部１３がＰＷＭ信号のデューティ比に応じた変換効率で電流Ｉから電圧Ｖｂへの変換を行う。電流電圧変換部１３は、ＰＷＭ信号に応じて抵抗値が変化する変換抵抗部１３１と、変換抵抗部１３１により光学センサＳの出力電流Ｉを変換した電圧を平滑化するコンデンサＣとを有し、抵抗値の変化によって出力電圧Ｖｂが変化する構成である。これにより、変換制御部１４から電流電圧変換部１３へ１つの制御信号線を接続することで変換効率の制御を行うことができるため、信号線数を削減できる。
【００５１】
また、液晶表示装置の初期設定又はキャリブレーション等を行う際に、変換制御部１４が出力するＰＷＭ信号のデューティ比を変化させて電流電圧変換部１３が出力する電圧Ｖｂを取得し、取得した電圧Ｖｂと所定の目標電圧値とを比較して、出力電圧Ｖｂが目標電圧値となるデューティ比を決定する。変換制御部１４は、決定したデューティ比のＰＷＭ信号を出力する。光源制御部１１は、設定受付部１５にて受け付けた明るさ設定、デューティ比決定時の光源２の駆動量に対応した明るさ設定（光量に係る所定設定値）、及び、所定目標電圧値に基づいて、受け付けた明るさ設定に応じた目標電圧値を算出する。光源制御部１１は、電流電圧変換部１３の出力電圧Ｖｂが算出した目標電圧値となるように光源２の光量を制御する。これらにより光学センサＳの個体差を吸収して光源２の光量を制御することが可能となる。
【００５２】
また、電流電圧変換部１３は、光学センサＳに抵抗Ｒｄ及びトランジスタＴを直列接続し、トランジスタＴの開閉をＰＷＭ信号にて制御する構成である。この構成により、変換制御部１４がＰＷＭ信号のデューティ比を制御することで、電流電圧変換部１３の変換効率を容易に制御することができる。また、光学センサＳの出力電流Ｉを電圧Ｖａに変換し、増幅回路にて電圧Ｖｂに増幅して出力する構成とすることにより、光源制御部１１は増幅された電圧Ｖｂにて処理を行うことができるため、高い分解能で処理を行うことが可能となる。
【００５３】
なお本実施の形態においては、液晶表示装置を例に説明を行ったが、これに限るものではなく、光学センサＳを用いて光源２の光量を制御するその他の照明装置に同様の構成を適用することができる。また変換制御部１４が出力するＰＷＭ信号にて電流電圧変換部１３のトランジスタＴの開閉を制御することで変換効率の制御を行う構成としたが、これに限るものではない。例えば、変換制御部１４が線形的に変換する制御信号を出力し、この制御信号に応じて電流電圧変換部１３のトランジスタＴの開閉を線形的に制御する構成としてもよく、その他の構成としてもよい。また図２に示した電流電圧変換部１３の回路構成は一例であって、これに限るものではない。また電流電圧変換部１３は増幅回路にて電圧を増幅して出力する構成としたが、これに限るものではなく、増幅を行わない構成であってもよい。また図１において液晶表示装置は、主制御部１０、光源制御部１１及び変換制御部１４をそれぞれ別のブロックとして備える構成としたが、これに限るものではなく、これらのうちの２つ又は３つを１つのブロックとして実現してもよい。
【００５４】
（実施の形態２）
上述の実施の形態１に係る液晶表示装置では、先に決定したＰＷＭ信号のデューティ比が固定的に用いられ、その後の明るさ設定に応じた光源２の制御処理においてデューティ比が変化することはない。実施の形態２に係る液晶表示装置では、明るさ設定が所定の明るさ（例えば最大の明るさを１００％とした場合に５０％の明るさなど）を超える場合には、実施の形態１と同様の光源２の制御処理を行う（即ち、先に決定したデューティ比を用いる）が、明るさ設定が所定の明るさ以下の場合には、デューティ比を変更して光源２の制御処理を行う。実施の形態２に係る液晶表示装置は、設定受付部１５にて受け付けた明るさ設定に応じて、ＰＷＭ信号のデューティ比を２段階（又はそれ以上の多段階）で変化させる構成である。
【００５５】
図５は、実施の形態１及び２に係る液晶表示装置の光源２の制御方法を比較するための模式図であり、横軸を明るさ設定とし、縦軸をＰＷＭ信号のデューティ比又は目標電圧値としたグラフを、各実施の形態についてそれぞれ示したものである。図５Ａに示すように、実施の形態１に係る液晶表示装置は、明るさ設定の変化に対してＰＷＭ信号のデューティ比は固定であり、目標電圧値は明るさ設定に応じて変化する。図５Ｂに示すように、実施の形態２に係る液晶表示装置は、明るさ設定が例えば５０％を超えるか否かに応じて、ＰＷＭ信号のデューティ比を段階的に変化させ、これに伴い目標電圧値も明るさ設定が５０％の箇所で不連続的に変化している。
【００５６】
実施の形態２に係る液晶表示装置は、明るさ設定が５０％以下の場合に、先に決定したＰＷＭ信号のデューティ比（第１のデューティ比）よりも低い値の（即ち、ハイレベルの期間が短い）デューティ比（第２のデューティ比）を用いて光源２の制御を行う。ＰＷＭ信号のデューティ比が低下した場合、図２に示した電流電圧変換部１３のトランジスタＴの開時間が減少し、並列接続された抵抗Ｒｄ及びＲｐの合成抵抗値が疑似的に増加するため、出力電圧Ｖｂは増加する。よって光源制御部１１の目標電圧値も図５Ｂに示すように増加する。これにより光学センサＳの検知結果の分解能を疑似的に増加させることができるため、明るさ設定が５０％以下での光源２の制御精度を向上させることができる。
【００５７】
図６は、実施の形態２に係る液晶表示装置の光源２の明るさ設定変更処理の手順を示すフローチャートである。液晶表示装置の主制御部１０は、設定受付部１５から明るさ設定を取得し（ステップＳ２１）、この明るさ設定が５０％以下であるか否かを判定する（ステップＳ２２）。明るさ設定が５０％を超える場合（Ｓ２２：ＮＯ）、主制御部１０は光源制御部１１に、実施の形態１に係る液晶表示装置と同様の処理を行わせる。即ち、光源制御部１１は、予め定められた演算式などを用いて、明るさ設定に応じた目標電圧値の算出を行い（ステップＳ２３）、ステップＳ２７へ処理を進める。
【００５８】
また明るさ設定が５０％以下である場合（Ｓ２２：ＹＥＳ）、主制御部１０は、変換制御部１４が出力するＰＷＭ信号のデューティ比（第２のデューティ比）を算出する（ステップＳ２４）。ステップＳ２４における第２のデューティ比の算出は、図３に示した処理にて決定した第１のデューティ比に対して所定係数α（ただし０＜α＜１である）を乗算することで行う。所定係数αは、液晶表示装置の設計段階などにおいて、電流電圧変換部１３の抵抗Ｒｄ及びＲｐの抵抗値、並びに、光学センサＳの特性等に基づいて決定される。次いで主制御部１０は、算出した第２のデューティ比を変換制御部１４へ通知してＰＷＭ信号のデューティ比変更を行う（ステップＳ２５）。なお主制御部１０は、算出した第２のデューティ比を光源制御部１１へ通知する。
【００５９】
次いで光源制御部１１は、主制御部１０によるデューティ比の変化を加味して、明るさ設定に対応した光学センサＳの目標電圧値を算出する（ステップＳ２６）。デューティ比の変化に対する電流電圧変換部１３の出力電圧Ｖｂの変化は、電流電圧変換部１３の回路構成等に応じて予め算出する（又は、シミュレーション若しくは実測にて取得する）ことが可能である。光源制御部１１は、デューティ比の変化に対する出力電圧Ｖｂの変化を、例えば演算式又はテーブル等の情報として記憶している。光源制御部１１は、ステップＳ２３（又はステップＳ１３）と同様の方法で、明るさ設定に応じた目標電圧値を算出し、更にデューティ比の変化に対する出力電圧Ｖｂの変化に係る情報を基に、算出した目標電圧値を修正することによって、変化後の第２のデューティ比に対する目標電圧値を算出する。光源制御部１１は、目標電圧値の算出後にステップＳ２７へ処理を進める。
【００６０】
次いで、光源制御部１１は、明るさ設定に対応した光源２の駆動量を算出する（ステップＳ２７）。なお明るさ設定に対応する光源２の駆動量の算出は、予め定められた演算式を用いて行う。光源制御部１１は、算出した駆動量での駆動を行って光源２を発光させる（ステップＳ２８）。次いで光源制御部１１は、光学センサＳの検出値に対応した電流電圧変換部１３の出力電圧Ｖｂを取得し（ステップＳ２９）、取得した出力電圧ＶｂがステップＳ２３又はＳ２６にて算出した目標電圧値であるか否かを判定する（ステップＳ３０）。出力電圧Ｖｂが目標電圧値でないと判定した場合（Ｓ３０：ＮＯ）、光源制御部１１は、出力電圧値Ｖｂを目標電圧値へ近付けるべく、光源２の駆動量を再び算出し（ステップＳ３１）、ステップＳ２８へ処理を戻して、上述の処理を繰り返し行う。出力電圧Ｖｂが目標電圧値であると判定した場合（Ｓ３０：ＹＥＳ）、光源制御部１１は、処理を終了する。
【００６１】
以上の構成の実施の形態２に係る液晶表示装置は、明るさ設定が５０％以下の場合に、変換制御部１４が出力するＰＷＭ信号のデューティ比を第１のデューティ比から第２のデューティ比に変化させ、電流電圧変換部１３の変換効率を段階的に変化させる。液晶表示装置の光源制御部１１は、ＰＷＭ信号のデューティ比の変化（即ち第１及び第２のデューティ比の差分）を加味して目標電圧値を算出し、電流電圧変換部１３の出力電圧Ｖｂが目標電圧値となるように、光源の光量を制御する。これにより、明るさ設定が５０％以下の場合の光量検知の分解能を増加させることができ、光源２の制御精度を向上することができる。
【００６２】
なお本実施の形態においては、明るさ設定が５０％を超えるか否かに応じてデューティ比を変化させる構成としたが、この明るさ設定は一例であって、これに限るものではない。また第２のデューティ比は、第１のデューティ比を決定した際に算出を行い、液晶表示装置の主制御部１０又は光源制御部１１等に記憶しておく構成であってもよい。またデューティ比を２種類に変化させる構成としたが、これに限るものではなく、明るさ設定の複数個所においてデューティ比を変化させ、３種類以上のデューティ比を組み合わせて制御を行う構成であってもよい。
【００６３】
また実施の形態２に係る液晶表示装置のその他の構成は、実施の形態１に係る液晶表示装置の構成と同様であるため、同様の箇所には同じ符号を付して詳細な説明を省略する。
【００６４】
（実施の形態３）
図７は、実施の形態３に係る液晶表示装置の光源２の制御方法を説明するための模式図である。実施の形態３に係る液晶表示装置は、明るさ設定に関わらず目標電圧値を一定の値とし、電流電圧変換部１３の出力電圧Ｖｂがこの目標電圧値となるようにデューティ比を変化させる構成である。これにより、明るさ設定に応じた光源２の光量の変化に関わらず、光学センサＳの検知結果（即ち出力電圧Ｖｂ）の分解能を維持することができる。
【００６５】
図８は、実施の形態３に係る液晶表示装置の光源２の明るさ設定変更処理の手順を示すフローチャートである。液晶表示装置の主制御部１０は、設定受付部１５から明るさ設定を取得し（ステップＳ４１）、取得した明るさ設定に応じたＰＷＭ信号のデューティ比を算出する（ステップＳ４２）。なお明るさ設定に応じたデューティ比の算出は、予め定められた演算式を用いて行う。
【００６６】
例えば図３に示したＰＷＭ信号のデューティ比決定処理にて、明るさ設定１００％にて所定目標電圧値となるデューティ比をＡと決定したとする。その後、明るさ設定が変更された場合、明るさ設定が低下した分だけＰＷＭ信号のデューティ比を低減する。例えばデューティ比の算出は、明るさ設定をＸ％とした場合、演算式Ｙ＝Ａ×β×Ｘを用いてＹの値を算出することで実現できる。この演算式においてβは、液晶表示装置の設計段階などにおいて決定される係数である。
【００６７】
主制御部１０は、算出したデューティ比を変換制御部１４へ通知してＰＷＭ信号のデューティ比変更を行う（ステップＳ４３）。次いで、光源制御部１１は、明るさ設定に対応した光源２の駆動量を算出する（ステップＳ４４）。なお明るさ設定に対応する光源２の駆動量の算出は、予め定められた演算式を用いて行う。光源制御部１１は、算出した駆動量での駆動を行って光源２を発光させる（ステップＳ４５）。次いで光源制御部１１は、光学センサＳの検出値に対応した電流電圧変換部１３の出力電圧Ｖｂを取得し（ステップＳ４６）、取得した出力電圧Ｖｂが所定目標電圧値（図３のステップＳ４にて判定に用いたものと同じである）であるか否かを判定する（ステップＳ４７）。出力電圧Ｖｂが所定目標電圧値でないと判定した場合（Ｓ４７：ＮＯ）、光源制御部１１は、出力電圧値Ｖｂを所定目標電圧値へ近付けるべく、光源２の駆動量を再び算出し（ステップＳ４８）、ステップＳ４５へ処理を戻して、上述の処理を繰り返し行う。出力電圧Ｖｂが所定目標電圧値であると判定した場合（Ｓ４７：ＹＥＳ）、光源制御部１１は、処理を終了する。
【００６８】
以上の構成の実施の形態３に係る液晶表示装置は、目標電圧値を所定目標電圧値に固定し、明るさ設定の変化に応じてＰＷＭ信号のデューティ比を変化させる構成である。光源制御部１１は、電流電圧変換部１３の出力電圧Ｖｂが所定目標電圧値となるように、光源２の駆動を制御する。これにより、明るさ設定の全範囲において出力電圧Ｖｂの分解能を高めることができ、光源２の光量制御の精度を向上することができる。
【００６９】
なお実施の形態３に係る液晶表示装置のその他の構成は、実施の形態１に係る液晶表示装置の構成と同様であるため、同様の箇所には同じ符号を付して詳細な説明を省略する。
【００７０】
（変形例）
図９は、変形例に係る液晶表示装置の光源２の制御方法を説明するための模式図である。変形例に係る液晶表示装置は、実施の形態１に係る液晶表示装置の制御方法と、実施の形態３に係る液晶表示装置の制御方法とを組み合わせた制御を行う。即ち、明るさ設定が所定値を超える場合、デューティ比を固定し、目標電圧値を変化させる実施の形態１に係る液晶表示装置の制御を行う。また明るさ設定が所定値を超えない場合、目標電圧値を固定し、デューティ比を変化させる実施の形態３に係る液晶表示装置の制御を行う。これにより明るさ設定が所定値を超えない場合における出力電圧Ｖｂの分解能の低下を防止できる。
【００７１】
（実施の形態４）
実施の形態４に係る液晶表示装置は、明るさ設定変更に対する光源制御部１１の制御を、実施の形態３に係る液晶表示装置と同じく、目標電圧値を固定してデューティ比を変化させることで行う。ただし実施の形態４に係る液晶表示装置は、デューティ比の初期値及び目標電圧値の決定方法が、実施の形態３に係る液晶表示装置とは異なる。光源制御部１１が制御に用いる目標電圧値は、例えば液晶表示装置の製造工程又は液晶表示装置を購入したユーザが初期設定を行う際等に決定される。このとき主制御部１０は、光源制御部１１へ制御信号を出力して光源２を所定光量（例えば最大光量など）となるように発光させる。また主制御部１０は、所定のデューティ比（例えば５０％など）を変換制御部１４へ通知してＰＷＭ信号を出力させ、光学センサＳによる光量の検知結果である電流電圧変換部１３の出力電圧Ｖｂを光源制御部１１から取得する。主制御部１０は、取得した出力電圧Ｖｂを目標電圧値として記憶し、以後の制御に用いる。
【００７２】
図１０は、実施の形態４に係る液晶表示装置が行う目標電圧値決定処理の手順を示すフローチャートである。液晶表示装置の主制御部１０は、光源制御部１１へ制御信号を出力することにより、例えば最大光量などの所定光量に対応した所定駆動量で光源２を発光させる（ステップＳ５１）。また主制御部１０は、例えば予め定められた５０％などの所定デューティ比を変換制御部１４に設定し（ステップＳ５２）、この所定デューティ比に応じた変換効率を電流電圧変換部１３に設定する。次いで主制御部１０は、光学センサＳの検知した光量に応じた電流電圧変換部１３の出力電圧Ｖｂの値を光源制御部１１から取得し（ステップＳ５３）、取得した出力電圧Ｖｂを目標電圧値として不揮発性のメモリなどに記憶し（ステップＳ５４）、処理を終了する。
【００７３】
また実施の形態４に係る液晶表示装置は、明るさ設定変更に対する光源２の光量制御を、図８のフローチャートに示した手順にて行う。ただしステップＳ４２にて演算に用いるデューティ比の初期値は、図１０のステップＳ５２にて設定した所定デューティ比とする。またステップＳ４７においては、電流電圧変換部１３の出力電圧Ｖｂと、図１０のステップＳ５４にて記憶した目標電圧値との比較を行う。
【００７４】
以上の構成の実施の形態４に係る液晶表示装置は、液晶表示装置の初期設定又はキャリブレーション等の際に、所定デューティ比のＰＷＭ信号を変換制御部１４が出力した場合の電流電圧変換部１３の出力電圧Ｖｂを目標電圧値として記憶する。その後、変換制御部１４は、電流電圧変換部１３の出力電圧Ｖｂを目標電圧とすべくＰＷＭ信号のデューティ比を制御する。これにより、液晶表示装置の初期設定又はキャリブレーション等に要する時間を短縮することができる。
【００７５】
なお実施の形態４に係る液晶表示装置のその他の構成は、実施の形態３に係る液晶表示装置の構成と同様であるため、同様の箇所には同じ符号を付して詳細な説明を省略する。
【符号の説明】
【００７６】
１  液晶表示パネル
２  光源
１０  主制御部
１１  光源制御部（デューティ比決定手段、目標電圧値算出手段、デューティ比算出手段、所定目標電圧値決定手段）
１２  光源駆動部
１３  電流電圧変換部
１４  変換制御部
１５  設定受付部（受付部）
１３１  変換抵抗部
Ａｍｐ  増幅器（電圧増幅器）
Ｃ  コンデンサ（平滑部）
Ｒｄ、Ｒｆ、Ｒｐ、Ｒｓ  抵抗（抵抗器）
Ｓ  光学センサ
Ｔ  トランジスタ（スイッチング素子）
【図１】
0005619102.tif 000002
【図２】
0005619102.tif 000003
【図３】
0005619102.tif 000004
【図４】
0005619102.tif 000005
【図５】
0005619102.tif 000006
【図６】
0005619102.tif 000007
【図７】
0005619102.tif 000008
【図８】
0005619102.tif 000009
【図９】
0005619102.tif 000010
【図１０】
0005619102.tif 000011
【図１１】
0005619102.tif 000012